(57)【要約】【課題】  折り畳まれた状態（閉状態）であっても、表示機能を確保しつつ、効果的なステレオ効果を得ることのできる携帯型電子機器、及び携帯型電話機を提供する。【解決手段】  蓋部２を１８０°回転させ、再び、蓋部２を閉じると図に示すビューワモード状態となる。このビューワモード状態であると判断されると、第１スピーカ７Ｌと第２スピーカ７Ｒとを駆動してステレオ再生処理を実行する。これにより、仮想的に示したように、第１スピーカ７Ｌと第２スピーカ７Ｒから再生音声が放出され、ユーザはビューワモード状態において、ステレオ効果とともにサラウンド効果を得ることができる。このとき、表示部６はユーザと対面した状態にあることから、表示部６に前記メディアファイルに基づく画像が再生表示されることにより、画像等を観賞しつつ両スピーカ７Ｌ、７Ｒから再生される音声によるサラウンド効果を得ることができる。【選択図】    図４
2006086662.tif 000002
【特許請求の範囲】
【請求項１】
第１の筐体と、この第１の筐体に対し第１のヒンジ部を介して回動自在に結合された第２の筐体とを備える携帯型電子機器において、
前記第１のヒンジ部は、前記第１の筐体が前記第２の筐体に対して開いた状態、及び閉じた状態で外部に露出する第１のスピーカを備え、
前記第２の筐体は、前記第１の筐体と当該第２の筐体との開閉状態に拘わらず露出する第２のスピーカを備え、
音声データを再生させる際、前記第１の筐体と前記第２の筐体との相対的な位置関係により、前記第１のスピーカ、または、前記第２のスピーカを駆動させて再生するか、前記第１のスピーカと前記第２のスピーカとを駆動させて再生するかを判断する第１の判断手段と、
この第１の判断手段によって判断された出力形態で音声データを再生する再生制御手段と
を備えたことを特徴とする携帯型電子機器。
【請求項２】
前記音声データを再生させる際、この音声データがステレオ出力かモノラル出力かを判断する第２の判断手段を更に備え、
前記再生制御手段は、前記第２の判断手段によりステレオ再生であると判断され、且つ、前記第１の判断手段により前記第１のスピーカ、または、第２のスピーカを駆動させて再生すると判断されると、当該音声データの右チャンネルと左チャンネルを合成して再生することを特徴とする請求項１に記載の携帯型電子機器。
【請求項３】
前記第１のヒンジ部の回動方向と直交する方向に回動する第２のヒンジ部を更に備え、
前記第１のスピーカ及び前記第２のスピーカは、前記第２のヒンジ部により前記第１の筐体が反転され、且つ、前記第１の筐体と前記第２の筐体とが閉じた状態において、サラウンド効果を奏する位置に配置されていることを特徴とする請求項１又は２に記載の携帯型電子機器。
【請求項４】
音声通話のための通話用スピーカとを有する第１の筐体と、この第１の筐体に対し第１のヒンジ部を介して回動自在に結合され音声通話のためのマイクを有する第２の筐体とを備える携帯型電話機において、
前記第１のヒンジ部は、前記第１の筐体が前記第２の筐体に対して開いた状態、及び閉じた状態で外部に露出する第１のスピーカを備え、
前記第２の筐体は、前記第１の筐体と当該第２の筐体との開閉状態に拘わらず露出する第２のスピーカを備え、
音声データを再生させる際、前記第１の筐体と前記第２の筐体との相対的な位置関係により、前記第１のスピーカ、または、前記第２のスピーカを駆動させて再生するか、前記第１のスピーカと前記第２のスピーカとを駆動させて再生するかを判断する第１の判断手段と、
この第１の判断手段によって判断された出力形態で音声データを再生する再生制御手段と
を備えたことを特徴とする携帯型電話機。
【請求項５】
前記音声データは、当該携帯電話機への着信時に再生する着信メロディデータを含むことを特徴とする請求項４記載の携帯型電話機。
【発明の詳細な説明】
【技術分野】
【０００１】
本発明は、複数の機能が搭載された携帯型電子機器、及び携帯型電話機に関する。
【背景技術】
【０００２】
昨今の携帯型電子機器は、その機能の多様化が要求されている。その一つとして、配信される映像コンテンツを受信・記憶することにより、映像を表示させながら音声を出力する機能を有するものがある。また、最近では、ＭＰＥＧ−２方式やＭＰＥＧ−４方式で符号化圧縮された高画質、高音質の映像コンテンツを再生すべく、音声再生出力に至っては、蓋部と本体部の両方にスピーカを備えさせることにより、ステレオで再生させる技術が考案されている（例えば、特許文献１参照。）。
【特許文献１】特開２００２−５７７６８号公報（第４頁、図３）
【発明の開示】
【発明が解決しようとする課題】
【０００３】
しかしながら、このようなスピーカの配置構造にあっては、ステレオで視聴する際には、前記蓋部を本体部に対して開状態にしなくてはならない。また、一対のスピーカを縦方向に配置している携帯電話も出現するに至っているが、かかるスピーカの配置構造ではサラウンド効果を期待することはできない。
【０００４】
本発明はこのような問題点に鑑みてなされたものであり、折り畳まれた状態（閉状態）であっても、表示機能を確保しつつ、効果的なステレオ効果を得ることのできる携帯型電子機器、及び携帯型電話機を提供することを目的とする。
【課題を解決するための手段】
【０００５】
前記課題を解決するため請求項１記載の発明に係る携帯型電子機器にあっては、第１の筐体と、この第１の筐体に対し第１のヒンジ部を介して回動自在に結合された第２の筐体とを備える携帯型電子機器において、前記第１のヒンジ部は、前記第１の筐体が前記第２の筐体に対して開いた状態、及び閉じた状態で外部に露出する第１のスピーカを備え、前記第２の筐体は、前記第１の筐体と当該第２の筐体との開閉状態に拘わらず露出する第２のスピーカを備え、音声データを再生させる際、前記第１の筐体と前記第２の筐体との相対的な位置関係により、前記第１のスピーカ、または、前記第２のスピーカを駆動させて再生するか、前記第１のスピーカと前記第２のスピーカとを駆動させて再生するかを判断する第１の判断手段と、この第１の判断手段によって判断された出力形態で音声データを再生する再生制御手段とを備えている。
【０００６】
すなわち、第１のヒンジ部に備に設けられた第１のスピーカにあっては、第１の筐体が第２の筐体に対して開いた状態、及び閉じた状態で外部に露出し、一方第２の筐体に設けられた第２のスピーカは、第１の筐体と当該第２の筐体との開閉状態に拘わらず露出している。したがって、第１の筐体が第２の筐体に対して開いた状態、及び閉じた状態において、第１及び第２のスピーカが共に露出している。よって、この状態で両スピーカを駆動させて音声データを再生する出力形態とすることにより、露出した両スピーカからの音声により、効果的なステレオ効果を得ることができる。しかも、第１の筐体は表示手段を有することから、表示機能を確保しつつ、効果的なステレオ効果を得ることができる。
【０００７】
また、請求項２記載の発明に係る携帯型電子機器にあっては、前記音声データを再生させる際、この音声データがステレオ出力かモノラル出力かを判断する第２の判断手段を更に備え、前記再生制御手段は、前記第２の判断手段によりステレオ再生であると判断され、且つ、前記第１の判断手段により前記第１のスピーカ、または、第２のスピーカを駆動させて再生すると判断されると、当該音声データの右チャンネルと左チャンネルを合成して再生する。したがって、第１のスピーカを駆動させて再生すると判断された場合であっても、当該音声データの左右チャンネルの一方のみが再生されてしまうようなことはなく、単一のスピーカからではあるが左右チャンネルの音声を再生することができる。
【０００８】
また、請求項３記載の発明に係る携帯型電子機器にあっては、前記第１のヒンジ部の回動方向と直交する方向に回動する第２のヒンジ部を更に備え、前記第１のスピーカ及び前記第２のスピーカは、前記第２のヒンジ部により前記第１の筐体が反転され、且つ、前記第１の筐体と前記第２の筐体とが閉じた状態において、サラウンド効果を奏する位置に配置されている。したがって、ユーザは露出した表示手段により画像等を観賞しつつ第１及び第２のスピーカから再生される音声によるサラウンド効果を得ることができる。
【０００９】
また、請求項４記載の発明に係る携帯型電話機にあっては、音声通話のための通話用スピーカとを有する第１の筐体と、この第１の筐体に対し第１のヒンジ部を介して回動自在に結合され音声通話のためのマイクを有する第２の筐体とを備える携帯型電話機において、前記第１のヒンジ部は、前記第１の筐体が前記第２の筐体に対して開いた状態、及び閉じた状態で外部に露出する第１のスピーカを備え、前記第２の筐体は、前記第１の筐体と当該第２の筐体との開閉状態に拘わらず露出する第２のスピーカを備え、音声データを再生させる際、前記第１の筐体と前記第２の筐体との相対的な位置関係により、前記第１のスピーカ、または、前記第２のスピーカを駆動させて再生するか、前記第１のスピーカと前記第２のスピーカとを駆動させて再生するかを判断する第１の判断手段と、この第１の判断手段によって判断された出力形態で音声データを再生する再生制御手段とを備えている。したがって、第１の筐体が第２の筐体に対して開いた状態、及び閉じた状態において、露出した両スピーカからの音声により、効果的なステレオ効果を得ることができる。しかも、第１の筐体は表示手段を有することから、表示機能を確保しつつ、効果的なステレオ効果を得ることができる。
【００１０】
また、請求項５記載の発明に係る携帯型電子機器にあっては、前記音声データは、当該携帯電話機への着信時に再生する着信メロディデータを含む。したがって、着信時における着信メロディの発生時において、第１のスピーカのみを駆動させて再生する出力形態と、第１のスピーカと第２のスピーカとを駆動させて再生する出力形態とが選択的に形成され、着信報知に興趣性を与えることができる。
【発明の効果】
【００１１】
以上説明したように本発明によれば、第１の筐体が第２の筐体に対して開いた状態、及び閉じた状態のいずれの状態であっても第１及び第２のスピーカが共に露出することから、各状態で両スピーカを駆動させて音声データを再生する出力形態とすることにより、露出した両スピーカからの音声により、効果的なステレオ効果を得ることができる。しかも、第１の筐体は表示手段を有することから、表示機能を確保しつつ、効果的なステレオ効果を得ることができる。
【発明を実施するための最良の形態】
【００１２】
以下、本発明の一実施の形態を図に従って説明する。図１は、本実施の形態に係る携帯電話１の蓋を開いた状態の正面図に相当する外観図である。
図示のように、蓋部２は本体部３に対し第１ヒンジ部１００を回転軸として開閉可能（垂直回転（図３の矢印α）可能）に配置されているほか、第２ヒンジ部１２を回転軸として回転可能（水平回転（図１の矢印β）可能）になっている。蓋部２には、通話用スピーカ５、表示部６、及びマグネット５１が配置されている。表示部６は蓋部２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。マグネット５１は、蓋部２の内面であって自由端側の隅部に配置されている。
【００１３】
第１ヒンジ部１００は、蓋部２に連繋されて該蓋部２と一体的に回転する可動部１０１を有している。そして、この可動部１０１であって、図１及び図３に示す蓋部２を開いた状態で露出し、且つ図２に示す蓋部２を閉じた状態でも露出する位置に第１スピーカ７Ｌが配置されている。
【００１４】
本体部３は、キー入力部８と、第１サイドスイッチ９、マイク１０、及び第１磁気検出部２８と第２磁気検出部２９とを備えるとともに、アンテナ１１を内蔵している。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、第１サイドスイッチ９は、待受け状態ではマナーキーとして機能し、カメラモードではシャッターキーとして機能する。
【００１５】
第１磁気検出部２８と第２磁気検出部２９とは、本体部３の内面であって自由端側の隅部に配置されている。より詳しくは、第１磁気検出部２８は、図１の状態から図２（ａ）に示すように、蓋部２を表示部６とキー入力部８と対面させる形で折り畳んだ状態で、マグネット５１と重なる位置に配置されている。したがって、この折り畳み状態において第１磁気検出部２８は、マグネット５１の磁気を検出することが可能となり、この磁気の検出の有無を出力する。
【００１６】
また、第２磁気検出部２９は、図２（ａ）の状態から蓋部２を開いて、図３に示すように、第１ヒンジ部１００を軸にして回動させ、第２ヒンジ部１２を軸にして蓋部２を１８０°回転させて反転状態とし（図１参照）、再び、蓋部２を閉じた図４に示すビューワモード状態で、マグネット５１の直下となる位置に配置されている。したがって、この折り畳み状態においては第２磁気検出部２９が、マグネット５１の磁気を検出することが可能となり、この磁気の検出の有無を出力する。
【００１７】
図２において、（ａ）は蓋部２を折り畳んだ状態における携帯電話１を蓋部２側から見た図、（ｂ）は本体部３側から見た図、（ｃ）は矢示Ａ方向から見た図、（ｄ）は矢示Ｂ方向から見た図、（ｅ）は矢示Ｃ方向から見た図、（ｆ）は矢示Ｄ方向から見た図である。
【００１８】
（ａ）に示すように、蓋部２の外面であって自由端部側には、一対の緩衝部材３４、３４が設けられている。この緩衝部材３４、３４は、前記ビューワモードの状態において、キー操作部８が蓋部２の背面と接触して傷付くことを回避するために設けられている。（ｂ）及び（ｅ）に示すように、前記第１スピーカ７Ｌは蓋部２を閉じた状態でも露出する位置に設けられており、また、（ｂ）に示すように、本体部３の背面には、報知用ＬＥＤ１３及び撮像レンズ１７が配置されている。
【００１９】
また、（ｃ）に示すように、本体部３の一方の側面には、コネクタ３２が設けられているとともに、カード記録媒体を挿入するためのカードスロットを覆うカバー３３が着脱自在に設けられている。（ｄ）に示すように、本体部３の一方の側面には、第１サイドスイッチ９、第２サイドスイッチ４１及び第３サイドスイッチ４２が設けられている。第１サイドスイッチ９は、待受け状態ではマナーキーとして機能し、カメラモードではシャッターキーとして機能する。第２サイドスイッチ４１はその操作により、メニュー表示等におけるフォーカス移動が実行され、第３サイドスイッチ４２の操作により選択メニューの決定がなされる。
【００２０】
さらに、（ｆ）に示し且つ（ｃ）（ｄ）にも示すように、本体部３における自由端部の端面には第２スピーカ７Ｒが配置されている。この第２スピーカ７Ｒは、図５に示すように、メイン基板７６において前記アンテナ１１と対向する反対面に配置されている。また、同図において、７１は第２スピーカ７Ｒを覆うメッシュ部材、７２は本体部３を構成するケース部材より延長して、第２スピーカ７Ｒの後方でメイン基板７６と接触する隔壁部材、７３はメイン基板７６を支持するための支持部材である。そして、これら隔壁部材７２と支持部材７３とにより画成される空洞内において、第２スピーカ７Ｒから音声が出力（横方向）されることにより、音響効果が得られるように構成されている。
【００２１】
なお、第１スピーカ７Ｌは、第１ヒンジ部１００に配置されていることから、該第１ヒンジ部１００が有する円筒状の空洞により、音響効果が得られるように構成されている。
【００２２】
図６は、携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、アンテナ１１により受信された無線信号より自機宛に符号変調された信号を抽出して、スイッチ回路２０１を介して通信データ処理部２０２に出力する。
【００２３】
通信信号処理部１９は、待受け状態においても、また、データ通信モードにおいても、常に電源供給されており、通信データ処理部からのデジタル変調信号（送信音声データ、メールデータ、ネットワーク接続情報を含むパケットデータ）を、符号変調してアンテナ１１より出力する。また一方で、無線基地局より送信され、アンテナ１１により受信された無線信号より自機宛に符号変調された信号を抽出して、スイッチ回路２０１を介して通信データ処理部２０２に出力する。
【００２４】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は二つの制御部を備えており、通信処理全般等については第１制御部２０、その他、撮影処理、画像処理、及び、映像の再生処理に関しては後述の第２制御部２２で行う。
【００２５】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザがネットワーク接続キー８４を操作したか、あるいは、予め設定されたスケジュールに従い、データ通信モードの開始が指示された場合は、受信信号処理部１８と通信信号処理部１９とを動作させる。
【００２６】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００２７】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合は、アンテナ１１による受信を行わせて、一時的に通信帯域幅を占有し、受信信号処理部１８、通信信号処理部１９の双方より出力される符号変調された信号をほぼ同時にＱＡＭ系方式のデジタル信号（本実施の形態においては、ＭＰＥＧ−２、−４形式で圧縮された映像コンテンツ）に復号、合成して、インターフェイス処理部２０４を介してバス２００に出力するプログラムを記憶する。音声処理部２０５は、ＣＥＬＰ系の音声変調／復調システムを有しており、前記通話用スピーカ５とマイク１０とが接続されている。
【００２８】
スイッチ３１は、第２制御部２２からの制御により、ムービーファイルに格納されるオーディオデータ（音声データ）がステレオ対応である場合、第２スピーカ７Ｒに音声出力系ドライバ３０からのオーディオ信号を出力する。第１スピーカ７Ｌは、音声出力系ドライバ３０のみならず報知ドライバ２６によっても駆動され、着信報知音も発生する。
【００２９】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御を行う。なお、本実施の形態においては、携帯電話機能による着信割り込み時において上述の第１制御部２０との並行処理が可能だが、これらの処理に伴うバス２００へのアドレス／データの割り込み処理については、インターフェイス処理部２０４が行うものとする。
【００３０】
プログラムＲＯＭ２３は、ムービー再生モード、カメラモード等の各処理プログラムを格納するとともに、後述の表示バッファ６２への書き込み開始／終了アドレスの制御を行う表示ドライバ６１の制御プログラムを記憶し、ユーザー操作により適宜第２制御部２２にロードされる
【００３１】
ＲＡＭ２４は、データ通信処理や、音声通信において必要とされる各種データを記憶する。詳細には、図７に記載されるように、電話番号、メールアドレス、住所、固有のイメージ（画像、若しくはイラスト）を対応付けて記憶するアドレス帳記憶領域２４１、メール通信にて送受信されるメールデータを記憶するメールデータ記憶領域２４２、メールに添付された画像（静止画、動画）、及びカメラモードにて撮影された画像（静止画／動画）を圧縮処理された状態で記憶する画像記憶領域２４３、ネットワーク接続により受信した圧縮処理されたマルチメディアファイル（イラスト、静止画、動画（１６：９のアスペクト含）、メロディ、オーディオ）を記憶するダウンロードデータ記憶領域２４４、及び、各種ファイルの圧縮処理、伸張処理の際に一時的に使用するためのワークメモリ２４５の各領域を備える。
【００３２】
圧縮伸張処理部２５は、ＭＰＥＧ−２、−４に対応し、カメラモードにて撮影された静止画／動画を圧縮処理するとともに、ムービー再生モードにおけるデータ通信モードによりダウンロードしたムービーファイルや、カメラモードにおける静止画／動画を伸張処理する。
【００３３】
報知ドライバ２６は、着信処理を検出した際、これを報知せしめるために報知用ＬＥＤ１３、第１スピーカ７Ｌを動作させる。スイッチ処理部２７は、キー入力部８、第１サイドスイッチ９、第２サイドスイッチ４１及び第３サイドスイッチ５２からの操作検出に伴う第１制御部２０、第２制御部２２への制御信号を出力する。また一方で、後述の第１磁気検出部２８、第２磁気検出部２９からの検出信号に従い、キー入力部８、第１サイドスイッチ９、第２サイドスイッチ４の操作検出のオン／オフ、機能変更のための信号を受け、これらのキー、及び、スイッチの機能を制御する。第１磁気検出部２８と第２磁気検出部２９は、前述のようにマグネット５１の磁気を検出し、第２制御部２２へ信号を出力する。
【００３４】
なお、１７はカメラレンズであるが、その後段には、ＣＣＤ、若しくはＣＭＯＳ等のイメージセンサーと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。
【００３５】
さらに、バス２００には、前記コネクタ３２がコネクタインターフェースを介して接続されているとともに、前記自在なカバー３３より覆われたカードコネクタ３３０が接続されている。そして、このカードコネクタ３３０にカード記録媒体３３１が着脱自在に装着される。
【００３６】
以上の構成に係る本実施の形態において、携帯電話１が着信待受け状態にあるとき、第２制御部２２は、システムＲＯＭ２０３に格納されているプログラムに基づき、図８のフローチャートにおけるステップＳ９を除く全ての処理を実行する。すなわち、キー操作が検出されたか否かを判断し（ステップＳ１）、検出されたならば表示部６にメニュー画面を表示させる（ステップＳ２）。引き続き、この表示されたメニュー画面からのメディアファイルの選択が検出されたか否かを判断し（ステップＳ３）、検出されたならば再生指示待ちの状態に移行する（ステップＳ４）。さらに、この再生指示待ちの状態において、再生操作が検出されたか否かを判断し（ステップＳ５）、検出されたならば、当該再生対象のメディアファイルがステレオ対応ファイルであるか否かを判断する（ステップＳ６）。
【００３７】
ステレオ対応ファイルである場合には（ステップＳ６；ＹＥＳ）、携帯電話１がビューワモード状態か否かを判断する（ステップＳ７）。すなわち、図４に示したビューワモード状態においては、前述のように第２磁気検出部２９がマグネット５１の磁気を検出している検出状態となり、第１磁気検出部２８はマグネット５１の磁気を検出していな非検出状態となる。したがって、第２磁気検出部２９が検出状態で、且つ第１磁気検出部２８が非検出状態となっている場合には、ビューワモード状態と判断する。
【００３８】
そして、ビューワモード状態である場合には、スイッチ３１をオンにし、第１スピーカ７Ｌと第２スピーカ７Ｒとを駆動してステレオ再生処理を実行する（ステップＳ８）。これにより、図４に仮想的に示したように、第１スピーカ７Ｌと第２スピーカ７Ｒから再生音声が放出され、ユーザはビューワモード状態において、ステレオ効果とともにサラウンド効果を得ることができる。このとき、表示部６はユーザと対面した状態にあることから、表示部６に前記メディアファイルに基づく画像が再生表示されることにより、画像等を観賞しつつ両スピーカ７Ｌ、７Ｒから再生される音声によるサラウンド効果を得ることができる。
【００３９】
また、ステップＳ７での判断の結果、ビューワモード状態でない場合には、第１制御部２０が動作して、再生対象となっているステレオ対応ファイルのＲチャンネルとＬチャンネルとを合成処理する（ステップＳ９）。そして、第２制御部２２はスイッチ３１をオフにし、第１スピーカ７Ｌのみで合成された音声の再生処理を実行する（ステップＳ１０）。
【００４０】
他方、ステップＳ６での判断の結果、ステレオ対応ファイルではなくモノラル対応ファイルであった場合にも、携帯電話１がビューワモード状態か否かを判断する（ステップＳ１１）。ビューワモード状態である場合には、スイッチ３１をオンにし、第１スピーカ７Ｌと第２スピーカ７Ｒを駆動してモノラル再生処理を実行する（ステップＳ１２）。ビューワモード状態でない場合には、スイッチ３１をオフにし、第１スピーカ７Ｌのみでモノラル音声の再生処理を実行する（ステップＳ１０）。
【００４１】
また、以上に説明した再生処理中に着信要求を受けた場合には、ステップＳ６からの処理を実行し、該ステップＳ６において着信メロディのファイルがステレオ対応ファイルであるか否かを判断する。そして、着信メロディのファイルがステレオ対応ファイルである場合には、前述したステップＳ７〜ステップＳ１０の処理を実行し、ステレオ対応ファイルでない場合には、ステップＳ１１〜Ｓ１３の処理を実行する。したがって、着信メロディが再生される際にも、ビューワモード状態である場合には、ステレオ効果とともにサラウンド効果を得ることができる。
【００４２】
なお、本実施の形態においては、モノラル出力の場合は、第１スピーカ７Ｌのみで行っていたが、第２スピーカ７Ｒで行うようにしてもよい。
【００４３】
なお、本実施の形態においては、ＣＤＭＡ  ２００００  １ｘＥＶ−ＤＯにおけるＨＤＲ（Ｈｉｇｈ  Ｄａｔａ  Ｒａｔｅ）をベースにした無線高速データ通信について詳述したが、所謂３．５世代携帯電話サービスにおけるＨＳＤＰＡ（Ｈｉｇｈ  Ｓｐｅｅｄ  Ｄｏｗｎｌｉｎｋ  Ｐａｃｋｅｔ  Ａｃｃｅｓｓ）技術による高速データ通信であっても良い。
【図面の簡単な説明】
【００４４】
【図１】本発明の一実施の形態に係る携帯電話の蓋を開いた状態の正面図である。
【図２】（ａ）は蓋部を折り畳んだ状態における携帯電話を蓋部側から見た図、（ｂ）は本体部側から見た図、（ｃ）は矢示Ａ方向から見た図、（ｄ）は矢示Ｂ方向から見た図、（ｅ）は矢示Ｃ方向から見た図、（ｆ）は矢示Ｄ方向から見た図である。
【図３】蓋部を単に開いた状態の側面図である。
【図４】ビューワモード状態を示す図である。
【図５】第２スピーカの配置構造を示す一部破断断面図である。
【図６】携帯電話の回路構成を示すブロック図である。
【図７】ＲＡＭのメモリ構成図である。
【図８】処理手順を示すフローチャートである。
【符号の説明】
【００４５】
１    携帯電話（携帯型電子機器、携帯型電話機）
２    蓋部（第１の筐体）
３    本体部（第２の筐体）
５    通話用スピーカ
６    表示部（表示手段）
７Ｌ    第１スピーカ（第１のスピーカ）
７Ｒ    第２スピーカ（第２のスピーカ）
１０    マイク
１１    アンテナ
１２    第２ヒンジ部（第２のヒンジ部）
１３    報知用ＬＥＤ
１６    デジタルズーム
１６    内蔵アンテナ
１７    撮像レンズ
１８    受信信号処理部
１９    通信信号処理部
２０    第１制御部
２１    スイッチ
２２    第２制御部（第２の判断手段、再生制御手段）
２３    プログラムＲＯＭ
２４    ＲＡＭ
２７    スイッチ処理部
２８    第１磁気検出部（第１の判断手段）
２９    第２磁気検出部（第１の判断手段）
３０    音声出力系ドライバ
３１    スイッチ
６１    表示ドライバ
６２    表示バッファ
１００    第１ヒンジ部（第１のヒンジ部）
２０２    通信データ処理部
２０３    システムＲＯＭ
２０５    音声処理部
２４１    アドレス帳記憶領域
２４５    ワークメモリ
【図１】
2006086662.tif 000003
【図２】
2006086662.tif 000004
【図３】
2006086662.tif 000005
【図４】
2006086662.tif 000006
【図５】
2006086662.tif 000007
【図６】
2006086662.tif 000008
【図７】
2006086662.tif 000009
【図８】
2006086662.tif 000010